(57)【要約】【課題】本発明は、他人による着信応答を制限できる携帯端末装置を提供することを目的とする。【解決手段】携帯電話機１は、基地局を介して外部端末との通信を行う通信部４１と、所定の入力が行われる操作部２１と、一又は複数の解除パスワードを記憶する第１記憶部４４１と、通信部４１により受信された基地局を介した外部端末からの着信要求に応じて通信回線が接続された場合に、操作部２１からのパスワードの入力を要求するパスワード要求部４５１と、操作部２１により入力された入力パスワードが一又は複数の解除パスワードのうちの所定の解除パスワードに一致するかを判定する第１判定部４５２と、第１判定部４５２により、入力パスワードが一又は複数の解除パスワードのうちの所定の解除パスワードに一致すると判定された場合に、通信部４１による外部端末との音声通話を許可する通話制御部４５３と、を備える。【選択図】図４
2010154351.tif 000002
【特許請求の範囲】
【請求項１】
基地局を介して外部端末との通信を行う通信部と、
所定の入力が行われる入力部と、
一又は複数の解除パスワードを記憶する第１記憶部と、
前記通信部により受信された基地局を介した外部端末からの着信要求に応じて通信回線が接続された場合に、前記入力部からのパスワードの入力を要求するパスワード要求部と、
前記入力部により入力された入力パスワードが前記一又は複数の解除パスワードのうちの所定の解除パスワードに一致するかを判定する第１判定部と、
前記第１判定部により、前記入力パスワードが前記一又は複数の解除パスワードのうちの所定の解除パスワードに一致すると判定された場合に、前記通信部による前記外部端末との音声通話を許可する通話制御部と、を備える携帯端末装置。
【請求項２】
複数の電話番号を記憶する第２記憶部と、
前記第１記憶部に記憶された一又は複数の解除パスワードと前記第２記憶部に記憶された複数の電話番号のうちの所定の電話番号とを関連付けて記憶する第３記憶部と、
前記通信部により、基地局を介した外部端末からの着信要求及び該外部端末の電話番号が受信された場合に、該外部端末の電話番号が前記第３記憶部に記憶された所定の電話番号に一致するかを判定する第２判定部と、を更に備え、
前記パスワード要求部は、前記第２判定部により、前記外部端末の電話番号が前記第３記憶部に記憶された所定の電話番号に一致すると判定された場合に、前記通信回線が接続されると、前記入力部からのパスワードの入力を要求し、
前記第１判定部は、前記入力パスワードが前記外部端末の電話番号に関連付けられて前記第３記憶部に記憶された解除パスワードに一致するかを判定し、
前記通話制御部は、前記第１判定部により、前記入力パスワードが前記外部端末の電話番号に関連付けられて前記第３記憶部に記憶された解除パスワードに一致すると判定された場合に、前記通信部による前記外部端末との音声通話を許可する請求項１に記載の携帯端末装置。
【請求項３】
前記通信部により基地局を介して通信が行なわれる外部端末の電話番号を表示可能な表示部と、
前記通信部により前記外部端末からの着信要求及び該外部端末の電話番号が受信された場合に、前記第２判定部により、該外部端末の電話番号が前記第３記憶部において記憶された所定の電話番号に一致すると判定されるまで前記表示部への前記外部端末の電話番号の表示を制限する表示制御部と、を更に備える請求項２に記載の携帯端末装置。
【請求項４】
基地局を介した外部端末からの着信要求を所定の報知態様で報知する報知部と、
前記第１記憶部に記憶された前記一又は複数の解除パスワードそれぞれに対応する一又は複数の報知態様を記憶する第４記憶部と、
前記通信部により前記外部端末からの着信要求及び該外部端末の電話番号が受信された場合に、前記第３記憶部において前記外部端末の電話番号に関連付けられて記憶された解除パスワードに対応する報知態様で、前記報知部に報知させる報知制御部と、を更に備える請求項２又は３に記載の携帯端末装置。
【請求項５】
前記パスワード要求部は、前記通信部により、基地局を介した外部端末からの着信要求、該外部端末の電話番号、及び該外部端末から発信される発信パスワードが受信された場合に、前記通信回線が接続されると、前記入力部からのパスワードの入力を要求し、
前記第１判定部は、前記入力パスワードが前記発信パスワード、又は前記第３記憶部において前記外部端末の電話番号に関連付けられて記憶された解除パスワードに一致するかを判定し、
前記通話制御部は、前記第１判定部により、前記入力パスワードが前記発信パスワード、又は前記第３記憶部において前記外部端末の電話番号に関連付けられて記憶された解除パスワードに一致すると判定された場合に、前記通信部による前記外部端末との音声通話を許可する請求項２から４のいずれかに記載の携帯端末装置。
【発明の詳細な説明】
【技術分野】
【０００１】
本発明は、携帯電話機等の携帯端末装置に関する。
【背景技術】
【０００２】
従来、携帯端末装置としての携帯電話機においては、パスワードを設定することで各種機能の利用を制限し、他人による携帯電話機の無断使用を防止するための種々の技術が提案されている（例えば、特許文献１参照）。
【特許文献１】特開平５−２０４７６６号公報
【発明の開示】
【発明が解決しようとする課題】
【０００３】
しかしながら、従来提案された技術では、他人による電話の発信を制限することはできるものの、携帯電話機に着信があった場合には、他人による当該着信の接続を制限できなかった。そのため、ユーザが携帯電話機から離れた位置にいるときにこの携帯電話機に着信があった場合には、他人により着信に応答されてしまう可能性があるという問題があった。
【０００４】
従って、本発明は、他人による着信応答を制限できる携帯端末装置を提供することを目的とする。
【課題を解決するための手段】
【０００５】
本発明は、基地局を介して外部端末との通信を行う通信部と、所定の入力が行われる入力部と、一又は複数の解除パスワードを記憶する第１記憶部と、前記通信部により受信された基地局を介した外部端末からの着信要求に応じて通信回線が接続された場合に、前記入力部からのパスワードの入力を要求するパスワード要求部と、前記入力部により入力された入力パスワードが前記一又は複数の解除パスワードのうちの所定の解除パスワードに一致するかを判定する第１判定部と、前記第１判定部により、前記入力パスワードが前記一又は複数の解除パスワードのうちの所定の解除パスワードに一致すると判定された場合に、前記通信部による前記外部端末との音声通話を許可する通話制御部と、を備える携帯端末装置に関する。
【０００６】
また、携帯端末装置は、複数の電話番号を記憶する第２記憶部と、前記第１記憶部に記憶された一又は複数の解除パスワードと前記第２記憶部に記憶された複数の電話番号のうちの所定の電話番号とを関連付けて記憶する第３記憶部と、前記通信部により、基地局を介した外部端末からの着信要求及び該外部端末の電話番号が受信された場合に、該外部端末の電話番号が前記第３記憶部に記憶された所定の電話番号に一致するかを判定する第２判定部と、を更に備え、前記パスワード要求部は、前記第２判定部により、前記外部端末の電話番号が前記第３記憶部に記憶された所定の電話番号に一致すると判定された場合に、前記通信回線が接続されると、前記入力部からのパスワードの入力を要求し、前記第１判定部は、前記入力パスワードが前記外部端末の電話番号に関連付けられて前記第３記憶部に記憶された解除パスワードに一致するかを判定し、前記通話制御部は、前記第１判定部により、前記入力パスワードが前記外部端末の電話番号に関連付けられて前記第３記憶部に記憶された解除パスワードに一致すると判定された場合に、前記通信部による前記外部端末との音声通話を許可することが好ましい。
【０００７】
また、携帯端末装置は、前記通信部により基地局を介して通信が行なわれる外部端末の電話番号を表示可能な表示部と、前記通信部により前記外部端末からの着信要求及び該外部端末の電話番号が受信された場合に、前記第２判定部により、該外部端末の電話番号が前記第３記憶部において記憶された所定の電話番号に一致すると判定されるまで前記表示部への前記外部端末の電話番号の表示を制限する表示制御部と、を更に備えることが好ましい。
【０００８】
また、携帯端末装置は、基地局を介した外部端末からの着信要求を所定の報知態様で報知する報知部と、前記第１記憶部に記憶された前記一又は複数の解除パスワードそれぞれに対応する一又は複数の報知態様を記憶する第４記憶部と、前記通信部により前記外部端末からの着信要求及び該外部端末の電話番号が受信された場合に、前記第３記憶部において前記外部端末の電話番号に関連付けられて記憶された解除パスワードに対応する報知態様で、前記報知部に報知させる報知制御部と、を更に備えることが好ましい。
【０００９】
また、前記パスワード要求部は、前記通信部により、基地局を介した外部端末からの着信要求、該外部端末の電話番号、及び該外部端末から発信される発信パスワードが受信された場合に、前記通信回線が接続されると、前記入力部からのパスワードの入力を要求し、前記第１判定部は、前記入力パスワードが前記発信パスワード、又は前記第３記憶部において前記外部端末の電話番号に関連付けられて記憶された解除パスワードに一致するかを判定し、前記通話制御部は、前記第１判定部により、前記入力パスワードが前記発信パスワード、又は前記第３記憶部において前記外部端末の電話番号に関連付けられて記憶された解除パスワードに一致すると判定された場合に、前記通信部による前記外部端末との音声通話を許可することが好ましい。
【発明の効果】
【００１０】
本発明の携帯端末装置によれば、他人による着信応答を制限できる。
【発明を実施するための最良の形態】
【００１１】
以下、本発明を実施するための好ましい実施形態について、図面を参照しながら説明する。
先ず、本発明の携帯端末装置の一実施形態としての携帯電話機１の基本構造について、図１を参照しながら説明する。
図１は、本発明の一実施形態に係る携帯電話機１の開状態における斜視図である。
【００１２】
携帯電話機１は、操作部側筐体２と、表示部側筐体３と、操作部側筐体２と表示部側筐体３とを連結する連結部４と、を備える。
【００１３】
操作部側筐体２は、図１に示すように、前面２０Ａを構成するフロントケース２ａと、背面を構成するリアケース２ｂと、を主体として構成される。また、この操作部側筐体２の内部には、携帯電話機１の各種動作を制御するＣＰＵ４５、及び各種情報を記憶するメモリ４４（いずれも図３参照）等の複数の電子部品が搭載された回路基板（図示せず）が配置されている。
【００１４】
操作部側筐体２の前面２０Ａには、図１に示すように、所定の入力操作が行われる入力部としての操作部２１と、マイク２２とが配置される。前面２０Ａは、携帯電話機１を折り畳んだ状態で表示部側筐体３と向かい合う面である。
【００１５】
操作部２１は、各種設定や電話帳機能やメール機能等の各種機能（アプリケーション）を作動させるための機能設定操作キー１３と、電話番号の数字やメール等の文字や後述するパスワードを入力するための入力操作キー１４と、各種操作における決定や上下左右方向のスクロール等を行う決定操作キー１５と、を備える。
【００１６】
操作部２１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作部２１を構成する各キーが使用者により押圧されることで、各キーに割り当てられている機能に応じた動作が実行される。
【００１７】
マイク２２は、携帯電話機１の使用者が通話時に発した音声を入力するために用いられる。
【００１８】
操作部側筐体２の背面には、音声出力部としてのスピーカ２３（図３参照）が配置される。背面は、前面２０Ａとは反対側の面である。
スピーカ２３は、携帯電話機１への電話の着信やメールの受信等をユーザに報知するための音声を出力する。
【００１９】
表示部側筐体３は、図１に示すように、前面３０Ａ側を構成するフロントケース３ａ及びフロントパネル３ｃと、背面側を構成するリアケース３ｂと、を主体として構成される。
表示部側筐体３の前面３０Ａには、各種情報を表示するための表示部３１と、通話の相手側の音声を出力するレシーバ３２と、が配置される。前面３０Ａは、携帯電話機１を折り畳んだ状態で操作部側筐体２と向かい合う面である。
【００２０】
表示部３１は、通信・通話待受画像や所定の機能を動作させるためのアプリケーションに基づく画像等を表示する。
レシーバ３２は、通話の相手側の音声を出力する。
尚、表示部３１及びレシーバ３２は、携帯電話機１の閉状態において隠れる位置に配置されている。
【００２１】
表示部側筐体３の背面には、各種情報を表示するためのサブ表示部（図示せず）が配置される。背面は、前面３０Ａとは反対側の面である。つまり、サブ表示部は、携帯電話機１の閉状態であっても外部に露出する位置に配置されている。
【００２２】
表示部側筐体３に配置された表示部３１及びサブ表示部それぞれは、液晶パネルと、液晶パネルを駆動する駆動回路と、液晶パネルの背面側から光を照射するバックライト等の光源部とを有して構成される（いずれも図示せず）。
【００２３】
連結部４は、操作部側筐体２と表示部側筐体３とが相対的に動くようにこれらを連結している。この連結部４は、操作部側筐体２の上端部と表示部側筐体３の下端部とを連結している。
携帯電話機１は、連結部４を介して連結された操作部側筐体２と表示部側筐体３とを相対的に回転することにより、操作部側筐体２と表示部側筐体３とを互いに開いた状態（開状態）にしたり、操作部側筐体２と表示部側筐体３とを折り畳んだ状態（閉状態）にしたりできる。
【００２４】
次に、図２及び図３を参照しながら、携帯電話機１の機能について説明する。
図２は、携帯電話機１が無線基地局１００を介して外部端末１０１に接続される様子を示す模式図である。図３は、携帯電話機１の機能を示すブロック図である。
本実施形態の携帯電話機１は、図２に示すように、基地局としての無線基地局１００を介して外部端末１０１と相互に通信可能に構成されている。
この携帯電話機１は、図３に示すように、操作部２１と、マイク２２と、スピーカ２３と、通信部４１と、画像処理部４２と、音声処理部４３と、記憶部としてのメモリ４４と、ＣＰＵ４５と、を操作部側筐体２に備え、表示部３１と、レシーバ３２と、ドライバＩＣ３３と、発光部としてのＬＥＤ３４と、を表示部側筐体３に備えている。
【００２５】
通信部４１は、メインアンテナ４１１及びＲＦ回路部４１２を備えて構成され、無線基地局１００を介して、他の携帯電話機等の外部端末１０１と音声通信を行う。
メインアンテナ４１１は、所定の使用周波数帯（例えば、８００ＭＨｚ）で外部装置と通信を行う。
ＲＦ回路部４１２は、メインアンテナ４１１によって受信した信号を復調処理し、処理後の信号をＣＰＵ４５に供給する。また、ＲＦ回路部４１２は、ＣＰＵ４５から供給された信号を変調処理し、メインアンテナ４１１を介して無線基地局１００に送信する。
【００２６】
画像処理部４２は、ＣＰＵ４５の制御に従って、所定の画像処理を行い、処理後の画像データをドライバＩＣ３３に出力する。
ドライバＩＣ３３は、画像処理部４２から供給された画像データをフレームメモリ（図示せず）に蓄え、所定のタイミングで表示部３１に出力する。
【００２７】
音声処理部４３は、ＣＰＵ４５の制御に従って、ＲＦ回路部４１２から供給された信号に対して所定の音声処理を行い、処理後の信号をレシーバ３２やスピーカ２３に出力する。
また、音声処理部４３は、ＣＰＵ４５の制御に従って、マイク２２から入力された信号を処理し、処理後の信号をＲＦ回路部４１２に出力する。ＲＦ回路部４１２は、音声処理部４３から供給された信号に所定の処理を行い、処理後の信号をメインアンテナ４１１に出力する。
【００２８】
レシーバ３２は、ＣＰＵ４５の制御に従って、音声処理部４３から供給された信号を外部に出力する。
スピーカ２３は、ＣＰＵ４５（後述の報知制御部４５６）の制御に従って、音声処理部４３から供給された信号を外部に出力する。
ＬＥＤ３４は、ＣＰＵ（後述の報知制御部４５６）の制御に従って、所定の態様で発光する。
これらスピーカ２３及びＬＥＤ３４は、外部端末１０１からの着信をユーザに報知する報知部５０として機能する。
【００２９】
メモリ４４は、例えば、ワーキングメモリを含み、ＣＰＵ４５による演算処理に利用される。また、メモリ４４には、携帯電話機１上で動作する様々なアプリケーションが利用するデータやテーブル等が格納されている。
尚、メモリ４４は、着脱可能な外部メモリであってもよい。
【００３０】
ＣＰＵ４５は、携帯電話機１の全体を制御しており、通信部４１、画像処理部４２、表示部３１、音声処理部４３、スピーカ２３、レシーバ３２、ＬＥＤ３４等に対して所定の制御を行う。ＣＰＵ４５の具体的な構成については後述する。
【００３１】
このように構成される本実施形態の携帯電話機１は、外部端末１０１から着信があった場合に、操作部２１から所定のパスワードを入力することにより音声通話の開始を許可する機能を有している。
【００３２】
以下に、携帯電話機１に係る当該機能を発揮するための構成と動作について詳述する。
先ず、本実施形態に係る携帯電話機１の機能を発揮するための構成について、図４を参照しながら説明する。図４は、携帯電話機１が上記機能を発揮するための構成を示す機能ブロック図である。
【００３３】
携帯電話機１は、図４に示すように、上記機能を発揮するための構成として、通信部４１と、操作部２１と、表示部３１と、スピーカ２４及びＬＥＤ３４を含む報知部５０と、メモリ４４と、ＣＰＵ４５と、を備える。
【００３４】
メモリ４４は、第１記憶部４４１と、第２記憶部４４２と、第３記憶部４４３と、第４記憶部４４４と、を備える。
第１記憶部４４１は、一又は複数の解除パスワードを記憶する。この解除パスワードは、外部端末１０１から着信があった場合に、この外部端末１０１との通話の開始を許可するためのパスワードである。
第２記憶部４４２は、複数の電話番号を記憶する。具体的には、第２記憶部４４２には、携帯電話機１のユーザが通信を行う複数の外部端末１０１の電話番号が記憶される。
なお、第２記憶部４４２は、電話番号だけでなく、各電話番号毎にユーザ氏名やニックネーム、グループ分け情報等を記憶するアドレス帳であっても良い。
【００３５】
第３記憶部４４３は、第１記憶部４４１に記憶された一又は複数の解除パスワードと第２記憶部４４２に記憶された複数の電話番号のうちの所定の電話番号とを関連付けて記憶する。具体的には、第３記憶部４４３には、第２記憶部４４２に記憶された複数の電話番号のうちの特定の一又は複数の電話番号に対して特定の一の解除パスワードが対応付けられて記憶される。これにより、ユーザは、電話番号毎に任意の解除パスワードを設定して第３記憶部４４３に記憶させられる。なお、第３記憶部４４３は、第１記憶部４４１と第２記憶部４４２にそれぞれ登録されているデータの関連付け情報のみ保持しても良いし、関連付けしたいデータだけをコピーして保持しても良い。但し、第１記憶部４４１と第２記憶部４４２の内容が更新されたときには、当該更新に同期して第３記憶部４４３も更新する。
【００３６】
第４記憶部４４４は、第１記憶部４４１に記憶された一又は複数の解除パスワードそれぞれに対応する一又は複数の報知態様を記憶する。具体的には、第１記憶部４４１に複数の解除パスワードが記憶されている場合、第４記憶部４４４には、それぞれの解除パスワード毎に異なる報知態様が記憶される。報知態様を異ならせる具体例としては、例えば、解除パスワード毎にスピーカ２３から出力される音声のメロディを異ならせたり、解除パスワード毎にＬＥＤ３４による発光態様を異ならせたりすることが挙げられる。また、報知態様を異ならせる別の具体例として、表示部３１に、「０９０１６＊＊＊＊２９」や、「京＊＊正＊」等、着呼元の電話番号の一部を隠して表示したり、着信元のユーザ情報である氏名やニックネームの一部を隠して表示しても良い。
【００３７】
ＣＰＵ４５は、パスワード要求部４５１と、第１判定部４５２と、通話制御部４５３と、第２判定部４５４と、表示制御部４５５と、報知制御部４５６と、を備える。
【００３８】
パスワード要求部４５１は、通信部４１により受信された無線基地局１００を介した外部端末１０１からの着信要求に応じて通信回線が接続された場合に、操作部２１からのパスワードの入力を要求する。具体的には、パスワード要求部４５１は、携帯電話機１が全ての着信に対して解除パスワードの入力を要求するように設定されている場合に、外部端末１０１からの通信要求に応じて通信回線が接続されると、パスワードの入力を要求する。
【００３９】
また、パスワード要求部４５１は、後述する第２判定部４５４により、通信先の外部端末１０１の電話番号が第３記憶部４４３に記憶された所定の電話番号に一致すると判定された場合に通信回線が接続されると、操作部２１からのパスワードの入力を要求する。つまり、パスワード要求部４５１は、第３記憶部４４３において解除パスワードに関連付けられて記憶された電話番号からの着信要求であった場合にパスワードの入力を要求する。
【００４０】
更に、パスワード要求部４５１は、通信部４１により、無線基地局１００を介した外部端末１０１からの着信要求、この外部端末１０１の電話番号、及びこの外部端末１０１から発信される発信パスワードが受信された場合に、通信回線が接続されると、操作部２１からのパスワードの入力を要求する。つまり、パスワード要求部４５１は、携帯電話機１に着信要求を行った外部端末が携帯電話機１の電話番号と共に所定の発信パスワードを発信してきた場合に通信回線が接続されると、パスワードの入力を要求する。
【００４１】
第１判定部４５２は、操作部２１により入力された入力パスワードが第１記憶部４４１に記憶された一又は複数の解除パスワードのうちの所定の解除パスワードに一致するか否を判定する。
より具体的には、第１判定部４５２は、外部端末１０１からの着信要求がありユーザが所定のパスワードを入力した場合に、この入力パスワードが外部端末１０１の電話番号に関連付けられて第３記憶部４４３に記憶された解除パスワードに一致するかを判定する。
【００４２】
また、第１判定部４５２は、外部端末１０１からの着信要求及び発信パスワードの発信がありユーザが所定のパスワードを入力した場合には、この入力パスワードが発信パスワード、又は第３記憶部４４３において外部端末１０１の電話番号に関連付けられて記憶された解除パスワードに一致するかを判定する。
【００４３】
通話制御部４５３は、第１判定部４５２により、入力パスワードが第１記憶部４４１に記憶された一又は複数の解除パスワードのうちの所定の解除パスワードに一致すると判定された場合に、通信部４１による外部端末１０１との音声通話を許可する。
より具体的には、通話制御部４５３は、第１判定部４５２により、入力パスワードが外部端末１０１の電話番号に関連付けられて第３記憶部４４３に記憶された解除パスワードに一致すると判定された場合に、通信部４１による外部端末１０１との音声通話を許可する。
【００４４】
また、通話制御部４５３は、第１判定部４５２により、入力パスワードが発信パスワードに一致すると判定された場合にも、通信部４１による外部端末１０１との音声通話を許可する。
【００４５】
第２判定部４５４は、通信部４１により、無線基地局１００を介した外部端末１０１からの着信要求及びこの外部端末１０１の電話番号が受信された場合に、この外部端末１０１の電話番号が第３記憶部４４３に記憶された所定の電話番号に一致するかを判定する。
つまり、第２判定部４５４は、着信要求を行ってきた外部端末１０１の電話番号が、第３記憶部４４３において解除パスワードと関連付けられて記憶された電話番号に一致するか否かを判定する。
【００４６】
表示制御部４５５は、通信部４１により外部端末１０１からの着信要求及びこの外部端末１０１の電話番号が受信された場合に、第２判定部４５４により、外部端末１０１の電話番号が第３記憶部４４３において記憶された所定の電話番号に一致すると判定されるまで表示部３１への外部端末の電話番号の表示を制限する。
【００４７】
報知制御部４５６は、通信部４１により外部端末１０１からの着信要求及びこの外部端末１０１の電話番号が受信された場合に、第３記憶部４４３において外部端末１０１の電話番号に関連付けられて記憶された解除パスワードに対応する報知態様で、報知部５０に報知させる。
【００４８】
次に、携帯電話機１において、第２記憶部４４２に記憶された複数の電話番号のうちの所定の電話番号について解除パスワードを設定する場合の手順について、図５（ａ）〜図５（ｆ）を参照しながら説明する。
【００４９】
先ず、図５（ａ）に示すように、所定の入力操作により表示部３１にメニュー画面を表示させる。この状態で、解除パスワードである着信時暗証番号のメニューを選択すると、図５（ｂ）に示すように、表示部３１には、着信時暗証番号設定画面が表示される。次に、ユーザが所定の暗証番号を入力すると、図５（ｃ）に示すように、着信時暗証番号機能を全着信について適用するか（ＯＮ［全着信］）、指定番号についてのみ適用するか（ＯＮ［指定番号］）、又は着信時暗証番号機能を設定しないか（ＯＦＦ）を選択する画面が表示される。
【００５０】
ここで、ユーザが所定の入力操作により「番号リスト」の項目を選択すると、図５（ｄ）に示すように、表示部３１には、第２記憶部４４２に記憶された複数の電話番号が表示される。この状態で、ユーザは図５（ｂ）で入力した着信時暗証番号を適用する電話番号を選択する。
尚、ユーザが「番号リスト」の項目を選択したときに、第２記憶部４４２に電話番号が記憶されていない場合には、図５（ｅ）に示すように、表示部３１には、電話番号が登録されていない旨が表示される。
【００５１】
図５（ｄ）においてユーザが着信時暗証番号を適用する電話番号を選択した場合は、図５（ｃ）に示す画面に戻る。この状態で、ユーザが［ＯＮ(指定番号)］メニューを選択すると、図５（ｆ）に示すように、表示部３１には、着信時暗証番号の設定が完了した旨が表示される。
【００５２】
次に、外部端末１０１から着信要求があった場合における携帯電話機１の動作について、図６及び図７を参照しながら説明する。
図６は、外部端末から着信要求があった場合における携帯電話機１の動作を示す図である。図７は、外部端末から着信要求があった場合における携帯電話機１の動作を示すフロー図である。
【００５３】
先ず、ステップＳ１において、通信部４１により外部端末１０１からの着信要求が受信されてステップＳ２に進む（図６（ａ）参照）。
【００５４】
ステップＳ２において、第２判定部４５４は、外部端末１０１の電話番号が第３記憶部４４３において解除パスワードに関連付けられて記憶された所定の電話番号に一致するかを判定する。第２判定部４５４により、外部端末１０１の電話番号が第３記憶部４４３において解除パスワードに関連付けられて記憶された所定の電話番号に一致すると判定された場合には、ステップＳ３に進む。第２判定部４５４により、外部端末１０１の電話番号が第３記憶部４４３において解除パスワードに関連付けられて記憶された所定の電話番号に一致しないと判定された場合には、ステップＳ９に進む。
【００５５】
ステップＳ３において、報知部５０は、外部端末１０１の電話番号に関連付けられて記憶された解除パスワードに対応する報知態様で着信を報知してステップＳ４に進む。
【００５６】
ステップＳ４において、表示制御部４５５は、表示部３１への外部端末１０１の電話番号の表示を制限してステップＳ５に進む。
【００５７】
ステップＳ５において、ユーザは、オフフックキーを押下して通信回線を接続しステップＳ６に進む。
【００５８】
ステップＳ６において、第１判定部４５２は、入力パスワードの入力回数ｎをカウントするカウンタを０にしてステップＳ７に進む。
【００５９】
ステップＳ７において、パスワード要求部４５１は、パスワードの入力を要求し、表示制御部４５５は、表示部３１にパスワード入力画面を表示させ（図６（ｂ）及び図６（ｃ）参照）、ステップＳ８に進む。
【００６０】
ステップＳ８において、第１判定部４５２は、入力パスワードが解除パスワードに一致するかを判定する。第１判定部４５２により、入力パスワードが解除パスワードに一致すると判定された場合には、ステップＳ１２に進む。第１判定部４５２により、入力パスワードが解除パスワードに一致しないと判定された場合には（図６（ｄ）参照）、ステップＳ１３に進む。
【００６１】
ステップＳ９において、表示制御部４５５は、表示部３１に外部端末１０１の電話番号を表示させてステップＳ１０に進む。
【００６２】
ステップＳ１０において、報知制御部４５６は、報知部５０に所定の報知態様で着信を報知させてステップＳ１１に進む。
【００６３】
ステップＳ１１において、ユーザは、オフフックキーを押下してステップＳ１２に進む。
【００６４】
ステップＳ１２において、通話制御部４５３は、通信部４１による音声通話を許可する（図６（ｅ）参照）。
【００６５】
ステップＳ１３において、第１判定部４５２は、パスワードの入力回数ｎを一つインクリメントして（ｎ＝ｎ＋１）、ステップＳ１４に進む。
【００６６】
ステップＳ１４において、第１判定部４５２は、パスワードの入力回数ｎが規定の数（例えば３回）に達したか否かを判定する。第１判定部４５２により、パスワードの入力回数が規定の数に達していると判定された場合には、ステップＳ１５に進む。第１判定部４５２により、パスワードの入力回数ｎが規定の数に達していないと判定された場合には、ステップＳ７に戻る。
【００６７】
ステップＳ１５において、通話制御部４５３は、通信部４１に通信回線を切断させる（図６（ｆ）参照）。
【００６８】
次に、外部端末１０１から着信要求と共に所定の発信パスワードが発信された場合における携帯電話機１の動作について、図８を参照しながら説明する。
図８は、外部端末１０１から着信要求と共に所定の発信パスワードが発信された場合における携帯電話機１の動作をしめすフロー図である。
【００６９】
図８に示すように、外部端末１０１から着信要求と共に所定の発信パスワードが発信された場合においての携帯電話機１の動作は、ステップＳ２８（図７におけるステップＳ８に対応）における動作以外は、上述した図７における携帯電話機１の動作と同様である。
この場合、ステップ２８においては、第１判定部４５２は、入力パスワードが解除パスワード又は発信パスワードに一致するかを判定する。第１判定部４５２により、入力パスワードが解除パスワード又は発信パスワードに一致すると判定された場合には、ステップＳ１２に進む。第１判定部４５２により、入力パスワードが解除パスワード及び発信パスワードのいずれにも一致しないと判定された場合には（図６（ｄ）参照）、ステップＳ１３に進む。
【００７０】
以上説明した本実施形態の携帯電話機１によれば、以下のような効果を奏する。
操作部２１により入力された入力パスワードが第１記憶部４４１に記憶された解除パスワードに一致するかを判定する第１判定部４５２と、この第１判定部４５２により、入力パスワードが解除パスワードに一致すると判定された場合に、通信部４１による１０１外部端末との音声通話を許可する通話制御部と、を設けた。これにより、携帯電話機１に着信があった場合には、解除パスワードを入力しないと音声通話を開始できない。よって、例えば、ユーザが携帯電話機１から離れた位置にいるときにこの携帯電話機１に着信があった場合に他人により通話が行われることを防止できる。その結果、他人による携帯電話機１の着信応答を制限できる。
【００７１】
また、パスワード要求部４５１に、外部端末１０１の電話番号が第３記憶部４４３に記憶された所定の電話番号に一致すると判定された場合に通信回線が接続されるとパスワードの入力を要求させた。これにより、ユーザは、他人に応答されたくない特定の相手（電話番号）からの着信に対してのみパスワードの入力を要求するように、携帯電話機１を設定できる。よって、他人に応答されたくない特定の相手（電話番号）から着信があった場合に、他人が当該特定の相手と通話してしまうことを防止できる。
【００７２】
また、表示制御部４５５を設け、外部端末１０１の電話番号が第３記憶部４４３において記憶された所定の電話番号に一致すると判定されるまで、表示部３１への外部端末１０１の電話番号の表示を制限させた。これにより、他人に応答されたくない特定の相手（電話番号）からの着信に対しては、表示部３１に電話番号が表示されないので、他人に応答されたくない特定の相手についての情報の秘匿性を向上できる。
【００７３】
また、報知制御部４５６を設け、第４記憶部４４４において複数の解除パスワードそれぞれに対応して記憶された複数の報知態様で、報知部５０に報知させた。これにより、ユーザは、外部端末１０１から着信があった場合に、報知態様により相手が誰であるかを認識できる。よって、第１記憶部４４１に複数の解除パスワードが記憶されていた場合でも、ユーザは、入力すべき解除パスワードを容易に認識できる。
【００７４】
また、外部端末１０１から着信要求と共に発信パスワードが発信されてきた場合、第１判定部４５２により、入力パスワードが発信パスワード又は解除パスワードに一致すると判定されると、通話制御部４５３に、通信部４１による外部端末１０１との音声通話を許可させた。これにより、発信者は、携帯電話機１への発信時に、当該発信者との通話を許可するためのパスワードを指定できる。よって、発信者は、確実に話したい相手と通話できる。
【００７５】
尚、本発明は前記実施形態に制限されるものではなく、本発明の目的を達成できる範囲での変形、改良等は本発明に含まれるものである。
例えば、本実施形態では、通信部４１により、外部端末１０１からの通話要求と共に発信パスワードが受信された場合には、入力パスワードが発信パスワード又は解除パスワードのいずれかに一致した場合に、通信部４１による音声通話を許可させたが、これに限らない。即ち、外部端末からの通話要求と共に発信パスワードが受信された場合には、入力パスワードが発信パスワードに一致したときのみ通話部による音声通話を許可させてもよい。
【００７６】
また、本実施形態においては、携帯端末装置の一例として連結部４を介して操作部側筐体２と表示部側筐体３とが相対的に動く、いわゆる折り畳み式の携帯電話機１を挙げているが、これに限らない。即ち、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、更には、操作部側筐体と表示部側筐体とが一つの筐体に配置されたもの（いわゆる、ストレートタイプ）であってもよい。
【００７７】
また、本実施形態では、本発明を携帯端末装置としての携帯電話機１に適用したが、これに限らない。即ち、本発明を、情報携帯端末（ＰＤＡ）、ノートパソコン、デジタルカメラ等の他の携帯端末装置に適用してもよい。
【図面の簡単な説明】
【００７８】
【図１】本発明の一実施形態に係る携帯電話機１の開状態における斜視図である。
【図２】携帯電話機が無線基地局を介して外部端末に接続される様子を示す模式図である。
【図３】携帯電話機の機能を示すブロック図である。
【図４】携帯電話機が機能を発揮するための構成を示す機能ブロック図である。
【図５】図５（ａ）〜図５（ｆ）は、それぞれ、第２記憶部に記憶された複数の電話番号のうちの所定の電話番号について解除パスワードを設定する場合の手順を説明する図である。
【図６】外部端末から着信要求があった場合における携帯電話機の動作を示す図である。
【図７】外部端末から着信要求があった場合における携帯電話機１の動作を示すフロー図である。
【図８】外部端末１０１から着信要求と共に所定の発信パスワードが発信された場合における携帯電話機１の動作をしめすフロー図である。
【符号の説明】
【００７９】
１  携帯電話機（携帯端末装置）
２  操作部側筐体
３  表示部側筐体
２１  操作部（入力部）
３１  表示部
４１  通信部
５０  報知部
１００  無線基地局（基地局）
１０１  外部端末
４４１  第１記憶部
４４２  第２記憶部
４４３  第３記憶部
４４４  第４記憶部
４５１  パスワード要求部
４５２  第１判定部
４５３  通話制御部
４５４  第２判定部
４５５  表示制御部
４５６  報知制御部
【図１】
2010154351.tif 000003
【図２】
2010154351.tif 000004
【図３】
2010154351.tif 000005
【図４】
2010154351.tif 000006
【図５】
2010154351.tif 000007
【図６】
2010154351.tif 000008
【図７】
2010154351.tif 000009
【図８】
2010154351.tif 000010